(57)【要約】【課題】正常に表示できない異常状態から容易に復帰する。【解決手段】テレビジョン受像機は、テスト画像データと正常輝度実測値とを記憶するＲＯＭと、テスト画像データに対して所定の補正を施し、補正テスト画像データを生成する画像補正部と、正常輝度実測値と補正テスト画像データの補正輝度値とを比較するＣＰＵとを設け、比較の結果、正常輝度実測値と補正輝度値とが異なる場合に、画像補正部を再起動するようにしたことにより、ユーザに対して手間をかけることなく、正常輝度実測値と補正輝度値とが異なることに応じ、画像補正部が異常状態であることを判別して、当該画像補正部を再起動することができ、かくして、正常な表示ができない異常状態から容易に復帰することができる。【選択図】図５
2009135684.tif 000002
【特許請求の範囲】
【請求項１】
画像データに対して所定の補正を施して補正画像データを生成し、当該補正画像データに基づく画像を表示する表示装置において、
上記補正画像データに基づく画像を上記表示部に表示する際の異常を検出するためのテスト画像データと、予め当該テスト画像データを正常に補正したときに得られる正常補正テスト画像データとを記憶する記憶部と、
上記記憶部から上記テスト画像データを読み出して所定の補正を施し、補正テスト画像データを生成する画像補正部と、
上記記憶部に記憶されている上記正常補正テスト画像データと、上記画像補正部により生成された上記補正テスト画像データとを比較する比較部と、
上記比較部による比較の結果に基づいて上記画像補正部が異常状態であるかを判別し、異常状態であると判別した場合には、上記画像補正部を再起動する制御部と
を具えることを特徴とする表示装置。
【請求項２】
上記画像補正部には、
起動時に、画像データに対して所定の補正を施すための補正値が設定されるようになされ、
上記制御部は、
上記比較部による比較の結果に基づいて異常状態であると判別した場合には、上記画像補正部を再起動して上記補正値を再設定する
ことを特徴とする請求項１に記載の表示装置。
【請求項３】
上記画像補正部は、
上記画像データに対して所定の補正を施して補正画像データを生成する処理と、上記テスト画像データに対して所定の補正を施して補正テスト画像データを生成する処理とを時分割に行う
ことを特徴とする請求項２に記載の表示装置。
【請求項４】
上記テスト画像データは輝度データであり、
上記画像補正部は、上記輝度データの輝度を補正する
ことを特徴とする請求項１に記載の表示装置。
【請求項５】
画像データに対して所定の補正を施して補正画像データを生成し、当該補正画像データに基づく画像を表示する表示装置の異常検出方法において、
上記補正画像データに基づく画像を上記表示部に表示する際の異常を検出するためのテスト画像データと、予め当該テスト画像データを正常に補正したときに得られる正常補正テスト画像データとを記憶する記憶部から、当該テスト画像データを読み出して所定の補正を施し、補正テスト画像データを生成する画像補正ステップと、
上記記憶部に記憶されている上記正常補正テスト画像データと上記補正テスト画像データとを比較する比較ステップと、
上記比較部による比較の結果に基づいて異常状態であるかを判別し、異常状態であると判別した場合には再起動する制御ステップと
を具えることを特徴とする異常検出方法。
【発明の詳細な説明】
【技術分野】
【０００１】
本発明は表示装置及び異常検出方法に関し、例えば、映像を表示する表示装置に適用して好適なものである。
【０００２】
従来、時間的に連続した複数のフレーム画像により形成された映像をスクリーンの背面側から投影し、この映像をスクリーンの正面側のユーザに見せるようになされたリアプロジェクション型のテレビジョン受像機がある（例えば特許文献１参照）。
【０００３】
このようなテレビジョン受像機は、テレビジョン放送波から抽出した映像信号の、時間的に連続した複数のフレーム画像データのそれぞれに所定の補正を施すため、例えばＬＳＩ（Large  Scale  Integration）でなる画像処理部を有している。
【０００４】
この画像処理部には、テレビジョン受像機の起動時に、例えば、映像信号の個々のフレーム画像データに基づくフレーム画像の輝度を正常な輝度に補正してスクリーンに投影するための輝度補正値が、メモリから読み出されて設定されるようになされている。
【０００５】
そして、テレビジョン受像機は、テレビジョン放送波から映像信号を抽出すると、画像処理部により、映像信号の個々のフレーム画像データをメモリに展開するとともに、このフレーム画像データに対して輝度補正値に応じた補正を施すことで補正フレーム画像データを順次生成し、この補正フレーム画像データに基づく補正フレーム画像をスクリーンに順次投影することで、正常な輝度の映像を表示するようになされている。
【特許文献１】特開２００７−１８３３０１公報
【発明の開示】
【発明が解決しようとする課題】
【０００６】
ところで、テレビジョン受像機では、起動時、各回路に供給する電流が安定するまでの僅かな間に、必要以上の電流（すなわち過電流）が流れる場合がある。
【０００７】
またテレビジョン受像機では、起動時、メモリから読み出した輝度補正値を画像処理部に設定するまでの間に過電流が流れると、極めて稀にではあるが、過電流の影響により輝度補正値が変化する場合がある。
【０００８】
その結果、テレビジョン受像機では、画像処理部に対し、過電流により変化した、正常ではない輝度補正値（以下、これを異常輝度補正値と呼ぶ）が設定されることになる。
【０００９】
このように、画像処理部に対して異常輝度補正値が設定されると、テレビジョン受像機は、各フレーム画像データに対して正常な補正を施すことができなくなり、例えば、極端に明るい（或いは暗い）輝度の画像をスクリーンに表示したり、画像自体を表示できなくなったりしていた（以下、このように正常な表示ができない状態を異常状態と呼ぶ）。
【００１０】
その結果、ユーザは、テレビジョン受像機が異常状態になると、この異常状態を目視で認識した上で、例えば、テレビジョン受像機を再起動する操作を行うことにより、異常状態から、スクリーンに対して正常な表示ができる状態（以下、これを正常状態と呼ぶ）に復帰させていた。
【００１１】
すなわち、従来のテレビジョン受像機は、異常状態になると、この異常状態の検出と、異常状態から正常状態への復帰とをユーザに強いることになり、容易には復帰できないという問題があった。
【００１２】
本発明は以上の点を考慮してなされたもので、正常な表示ができない異常状態から容易に復帰し得る表示装置を実現する。
【課題を解決するための手段】
【００１３】
かかる課題を解決するため本発明においては、画像データに対して所定の補正を施して補正画像データを生成し、当該補正画像データに基づく画像を表示する表示装置において、補正画像データに基づく画像を表示部に表示する際の異常を検出するためのテスト画像データと、予め当該テスト画像データを正常に補正したときに得られる正常補正テスト画像データとを記憶する記憶部と、記憶部からテスト画像データを読み出して所定の補正を施し、補正テスト画像データを生成する画像補正部と、記憶部に記憶されている正常補正テスト画像データと、画像補正部により生成された補正テスト画像データとを比較する比較部と、比較部による比較の結果に基づいて画像補正部が異常状態であるかを判別し、異常状態であると判別した場合には、画像補正部を再起動する制御部とを設けるようにした。
【００１４】
これにより表示装置は、ユーザに対し、異常状態を認識させた上で異常状態から復帰する処理を実行させるような手間をかけることなく、正常補正テスト画像データと補正テスト画像データとの比較結果に基づき、画像補正部が異常状態であることを判別して、当該画像補正部を再起動することができる。
【発明の効果】
【００１５】
本発明によれば、画像データに対して所定の補正を施して補正画像データを生成し、当該補正画像データに基づく画像を表示する表示装置において、補正画像データに基づく画像を表示部に表示する際の異常を検出するためのテスト画像データと、予め当該テスト画像データを正常に補正したときに得られる正常補正テスト画像データとを記憶する記憶部と、記憶部からテスト画像データを読み出して所定の補正を施し、補正テスト画像データを生成する画像補正部と、記憶部に記憶されている正常補正テスト画像データと、画像補正部により生成された補正テスト画像データとを比較する比較部と、比較部による比較の結果に基づいて画像補正部が異常状態であるかを判別し、異常状態であると判別した場合には、画像補正部を再起動する制御部とを設けるようにしたことにより、ユーザに対し、異常状態を認識させた上で異常状態から復帰する処理を実行させるような手間をかけることなく、正常補正テスト画像データと補正テスト画像データとの比較結果に基づき、画像補正部が異常状態であることを判別して、当該画像補正部を再起動することができ、かくして、正常な表示ができない異常状態から容易に復帰し得る表示装置を実現できる。
【発明を実施するための最良の形態】
【００１６】
以下図面について、本発明の一実施の形態を詳述する。
【００１７】
（１）テレビジョン受像機の構成
図１において１は、全体として本実施の形態によるテレビジョン受像機を示す。かかるテレビジョン受像機１は、制御部２により全体を統括制御するようになされている。
【００１８】
制御部２は、ＣＰＵ（Central  Processing  Unit）３を中心に構成されており、ＲＯＭ（Read  Only  Memory）４から基本プログラムやアプリケーションプログラムなどの各種プログラムを読み出し、これをバス５を介してＲＡＭ(Random  Access  Memory)６に展開して実行することにより、所定の演算処理や、操作部７から与えられる命令などに応じて各部を制御するようになされている。
【００１９】
具体的に言うと、テレビジョン受像機１のＣＰＵ３は、例えば、ユーザにより操作部７を介して、テレビジョン放送局が指定されると、アンテナ８を介して受信しているテレビジョン放送波を、チューナを有する受信部９に取り込む。
【００２０】
受信部９は、テレビジョン放送波を取り込むと、そのテレビジョン放送波の中から、指定されたテレビジョン放送波に対応する周波数帯域のテレビジョン放送信号を抽出して復調し、所定の処理等を施した後に、アナログ音声信号とアナログ映像信号とに分離する。
【００２１】
そして受信部９は、指定されたチャンネルのアナログ音声信号を音声処理部１０に送出する。また受信部９は、指定されたチャンネルのアナログ映像信号をアナログデジタル変換部１１に送出する。
【００２２】
音声処理部１０は、アナログ音声信号に対してイコライジング等の音声信号処理を施して、アナログ音声信号に基づく音声をスピーカ１２から放音させるようになされている。
【００２３】
このようにしてテレビジョン受像機１は、ユーザに指定されたテレビジョン放送局の音声をユーザに聴取させるようになされている。
【００２４】
一方、アナログデジタル変換部１１は、受信部９からアナログ映像信号が与えられると、このアナログ映像信号をアナログデジタル変換してデジタル映像信号を生成し、画像処理部１３に送出する。
【００２５】
ここで、デジタル映像信号に基づく映像は、時間的に連続な複数のフレーム画像によって構成されている。そしてデジタル映像信号は、これら時間的に連続する複数のフレーム画像のフレーム画像データが順に並べられて（すなわち一本化されて）形成されている。
【００２６】
また制御部２のＲＯＭ４には、例えば、デジタル映像信号の個々のフレーム画像データに基づくフレーム画像を正常な輝度で表示するように補正するための輝度補正値が予め記憶されており、ＣＰＵ３は、テレビジョン受像機１の起動時にＲＯＭ４から輝度補正値を読み出して画像処理部１３に設定するようになされている。
【００２７】
この画像処理部１３は、デジタル映像信号の個々のフレーム画像データを展開するための画像展開メモリ１３Ａを有しており、アナログデジタル変換部１１からデジタル映像信号が与えられると、デジタル映像信号の個々のフレーム画像データを、画像展開メモリ１３Ａに対して順次展開する。
【００２８】
そして画像処理部１３は、画像展開メモリ１３Ａに展開した個々のフレーム画像データの輝度に対して輝度補正値に応じた補正を行うことで、補正フレーム画像データをそれぞれ生成し、生成した補正フレーム画像データを順に並べる（すなわち一本化する）ことで、補正デジタル映像信号を得るようになされている。
【００２９】
このようにして画像処理部１３は、デジタル映像信号の個々のフレーム画像データの輝度を輝度補正値に応じて補正し、補正デジタル映像信号を生成する。そして画像処理部１３は、補正デジタル映像信号を生成すると、これを映像出力部１４に送出する。
【００３０】
ここで映像出力部１４は、表示パネル１５と、表示制御部１６と、ランプ１７と、冷却ファン１８とから構成されている。
【００３１】
表示パネル１５は、例えば、液晶を用いた複数の表示素子が透明基板上に形成されて成り、この透明基板を透過する光の量を赤緑青ごとの表示素子で制御することにより、画像の表示を行うようになされている。
【００３２】
表示制御部１６は、補正デジタル映像信号の個々の補正フレーム画像データに基づく補正フレーム画像を表示するように、表示パネル１５の各表示素子を制御することにより、表示パネル１５に対し、時間的に連続する複数の補正フレーム画像を映像として表示するようになされている。
【００３３】
ランプ１７は、表示パネル１５に対し、この表示パネル１５の背面から正面に透過するように光を照射するようになされている。また冷却ファン１８は、ランプ１７に対して冷却風を送風し、光の照射によって発熱するランプ１７を冷却するようになされている。
【００３４】
そして映像出力部１４は、画像処理部１３から補正デジタル映像信号が与えられると、表示制御部１６により、この補正デジタル映像信号の個々の補正フレーム画像データを表示パネル１５に送出し、時間的に連続する複数の補正フレーム画像データに基づく補正フレーム画像を映像として表示パネル１５に表示させる。
【００３５】
このとき映像出力部１４では、ランプ１７を発光させて表示パネル１５に光を照射しており、表示パネル１５を透過した光は、図示しない光学系を介して拡大されることにより、図示しないスクリーンの背面側に投影されるようになされている。その結果、スクリーンには、ユーザが正面側から見たときに見えるように、表示パネル１５に表示された映像が拡大表示される。
【００３６】
このようにしてテレビジョン受像機１は、スクリーンの正面側のユーザに対し、このユーザが指定したテレビジョン放送局の放送波から取得した映像（すなわち、テレビジョン番組）を見せるようになされている。以下、このように、テレビジョン番組をユーザに表示する処理をテレビジョン番組表示処理と呼ぶ。
【００３７】
（２）異常検出処理及び復帰処理
ところで、テレビジョン受像機１では、このテレビジョン受像機１が起動される際、各回路に供給する電流が安定するまでの僅かな間に、必要以上の電流（すなわち過電流）が流れる場合がある。
【００３８】
またテレビジョン受像機１では、過電流が流れると、極めて稀にではあるが、例えば、過電流の影響により、画像処理部１３に設定する（或いは、画像処理部１３に設定した）輝度補正値の数値が変化したり、この画像処理部１３における補正の処理に異常が生じたりする場合がある。
【００３９】
このような場合、テレビジョン受像機１は、映像信号の個々のフレーム画像データに対して正常な補正を施すことができなくなり、例えば、極端に明るい（或いは暗い）輝度の画像をスクリーンに表示したり、画像自体をスクリーンに表示できなくなったりしていた（すなわち、異常状態になっていた）。
【００４０】
そこで、テレビジョン受像機１は、異常状態になったことを検出する処理（以下、これを異常検出処理と呼ぶ）を実行するようになされている。以下、この異常検出処理について詳述する。
【００４１】
（２−１）異常検出処理
テレビジョン受像機１のＲＯＭ４には、異常状態の検出に用いるためのテスト画像データが記憶されている。
【００４２】
図２（Ａ）に示すように、テスト画像データＴＤは、例えば、一様な輝度値が設定された複数の画素データが正方形状に配列されて成り（すなわち、テスト画像データＴＤは、輝度データの集まりとして形成されている）、画像展開メモリ１３Ａに展開されるようになされている。また、図２（Ｂ）に示すように、このテスト画像データＴＤは、フレーム画像データＦＤに比して小さく形成されている。
【００４３】
さらにテスト画像データＴＤには、出荷前に、画像処理部１３において、このテスト画像データＴＤが輝度補正値に応じて予め正常に補正されたときに実測された輝度値（以下、これを正常輝度実測値と呼ぶ）が付加されている。
【００４４】
一方、図３に示すように、画像処理部１３の画像展開メモリ１３Ａには、長方形状のフレーム画像展開領域ＲＡが形成されている。このフレーム画像展開領域ＲＡは、デジタル映像信号の個々のフレーム画像データＦＤを展開するための領域である。
【００４５】
また、画像展開メモリ１３Ａにおいてフレーム画像展開領域ＲＡの周囲には、このフレーム画像展開領域ＲＡを取り囲むようにして、テスト画像展開領域ＲＢが形成されている。このテスト画像展開領域ＲＢは、テスト画像データＴＤを展開するための領域である。
【００４６】
そして画像処理部１３では、画像展開メモリ１３Ａのフレーム画像展開領域ＲＡに展開された画像データ（すなわちフレーム画像データＦＤ）のみを映像出力部１４の表示パネル１５に表示するようになされているため、テスト画像展開領域ＲＢに展開された画像データ（テスト画像データＴＤ）を映像出力部１４の表示パネル１５に表示しないようになされている。
【００４７】
また画像処理部１３では、フレーム画像展開領域ＲＡにおいてデジタル映像信号の個々のフレーム画像データＦＤを展開する処理（すなわちテレビジョン番組表示処理）と、テスト画像展開領域ＲＢにおいてテスト画像データＴＤを展開する処理（すなわち異常検出処理）とを時分割に処理できるようになされている。
【００４８】
ちなみに、通常、画像処理部１３において画像展開メモリ１３Ａのフレーム画像展開領域ＲＡの周囲には、画像データを展開可能でありながらも、映像出力部１４には表示されない余白的な領域（以下、これを余白領域と呼ぶ）が存在しており、テスト画像展開領域ＲＢは、この余白領域を流用している。その結果、テレビジョン受像機１の画像処理部１３は、画像展開メモリ１３Ａに対し、テスト画像展開領域ＲＢを形成する領域を確保しなくて良い分だけ、簡易に構成されている。
【００４９】
テレビジョン受像機１のＣＰＵ３は、起動時、ＲＯＭ４から輝度補正値を読み出して画像処理部１３に設定すると、画像処理部１３が異常状態であるか否かを検出する異常検出処理を実行する。
【００５０】
ＣＰＵ３は、異常検出処理において、ＲＯＭ４からテスト画像データＴＤを読み出して画像処理部１３に送出する。また、このときＣＰＵ３は、テスト画像データＴＤに付加されている正常輝度実測値を取得する。
【００５１】
図４（Ａ）に示すように、画像処理部１３は、ＣＰＵ３からテスト画像データＴＤが与えられると、画像展開メモリ１３Ａのテスト画像展開領域ＲＢの中の所定位置（この場合、例えば右上）を指定し、このテスト画像データＴＤを展開する。このとき画像処理部１３は、テレビジョン番組表示処理を時分割に行っており、フレーム画像データＦＤを画像展開メモリ１３Ａの画像展開領域ＲＡに同時並行に展開している。
【００５２】
そして画像処理部１３は、図４（Ｂ）に示すように、上述したテレビジョン番組表示処理において、輝度補正値に応じ、画像展開領域ＲＡに展開しているフレーム画像データＦＤの輝度値を補正して、補正フレーム画像データＨＦＤを生成する。また画像処理部１３は、異常検出処理において、輝度補正値に応じ、テスト画像展開領域ＲＢに展開しているテスト画像データＴＤの輝度値を補正して、補正テスト画像データＨＴＤを生成する。
【００５３】
この後、画像処理部１３は、上述したように、画像展開領域ＲＡの補正フレーム画像データＨＦＤを補正デジタル映像信号として映像出力部１４に送出する。
【００５４】
一方で、画像処理部１３は、画像展開メモリ１３Ａから、テスト画像展開領域ＲＢに展開している補正テスト画像データＨＴＤの輝度値（以下、これを補正輝度値と呼ぶ）を取得する。
【００５５】
そして画像処理部１３は、画像展開メモリ１３Ａから取得した補正輝度値を、ＣＰＵ３に送出する。
【００５６】
ＣＰＵ３は、画像処理部１３から補正輝度値が与えられると、テレビジョン受像機１が異常状態になっているかを確認するため、この補正輝度値と、ＲＯＭ４からテスト画像データＴＤを読み出したときにこのテスト画像データＴＤから取得しておいた正常輝度実測値とを比較する。
【００５７】
ＣＰＵ３は、補正輝度値と正常輝度実測値とを比較した結果、補正輝度値と正常輝度実測値とが一致した場合には、画像処理部１３において正常な補正が行われていると判別する。
【００５８】
これに対し、ＣＰＵ３は、補正輝度値と正常輝度実測値とを比較した結果、補正輝度値と正常輝度実測値とが異なる場合には、画像処理部１３において正常な補正が行われていない（すなわち、画像処理部１３において異常な補正が行われている）と判別する（すなわち、異常状態を検出する）。
【００５９】
このようにしてＣＰＵ３は、異常検出処理において、テスト画像データＴＤに予め付加されていた正常輝度実測値と、このテスト画像データＴＤに実際に補正を施した結果得られた補正輝度値とを比較することで、画像処理部１３において正常な補正が行われているか否か（すなわち、異常状態であるか否か）を判別するようになされている。
【００６０】
その結果、テレビジョン受像機１は、ユーザに対し、異常状態を認識させた上で異常状態から復帰する処理を実行させるような手間をかけることなく、この異常状態から復帰する処理（以下、これを復帰処理と呼び、後述する）を自動で実行することができる。
【００６１】
またテレビジョン受像機１は、フレーム画像展開領域ＲＡにおいてデジタル映像信号の個々のフレーム画像データＦＤを展開して補正する処理（すなわちテレビジョン番組表示処理）と、テスト画像展開領域ＲＢにおいてテスト画像データＴＤを展開して補正する処理（すなわち異常検出処理）とを同時並行に処理しているため、テレビジョン番組表示処理を妨げずに異常検出処理を行うことができ、その結果、異常検出処理を行いつつも、ユーザに対して通常通りにテレビジョン番組を視聴させることができる。
【００６２】
さらにテレビジョン受像機１は、異常状態の検出用に専用のテスト画像データＴＤを用意し、このテスト画像データＴＤを、専用のテスト画像展開領域ＲＢに展開するようにしたことにより、テレビジョン番組表示処理と異常検出処理とを同時並行に行う際、テレビジョン番組表示処理におけるフレーム画像データＦＤの影響を受けてテスト画像データＴＤが変化してしまうようなことがなく、毎回同じテスト画像データＴＤと正常輝度実測値とを用いて異常検出処理を行うことができる。その結果、テレビジョン受像機１は、確実に異常検出処理を実行できる。
【００６３】
（２−２）復帰処理
次いで、テレビジョン受像機１のＣＰＵ３は、異常状態であることを検出した場合に、異常状態から正常状態に復帰させる復帰処理を実行する。
【００６４】
ＣＰＵ３は、復帰処理において、この画像処理部１３を再起動する。そしてＣＰＵ３は、例えば、ＲＯＭ４から輝度補正値を再度読み出し、画像処理部１３に既に設定されている輝度補正値に対して上書きする。すなわちＣＰＵ３は、テレビジョン受像機１の起動時に画像処理部１３に設定する輝度補正値を、再起動により再設定する。
【００６５】
このようにしてテレビジョン受像機１は、復帰処理として、画像処理部１３を再起動するようになされている。
【００６６】
そしてテレビジョン受像機１は、復帰処理を行った後に、上述した異常検出処理を再度行うことで、このテレビジョン受像機１が復帰したか否かを確認し、正常状態に復帰するまで、これら異常検出処理と復帰処理とを繰り返すようになされている。
【００６７】
このようにしてテレビジョン受像機１は、異常状態であるか否かを判別し、異常状態であることを検出した場合に復帰処理を実行するようになされており、その結果、ユーザに対し、異常状態を認識させた上で異常状態から復帰する処理を実行させるような手間をかけることなく、全て自動で正常状態に復帰するようになされている。
【００６８】
（３）異常検出及び復帰処理手順
ここで、上述したテレビジョン受像機１において、ＣＰＵ３が異常検出処理及び復帰処理を行うときの手順（以下、これを異常検出及び復帰処理手順と呼ぶ）ＲＴ１について、図５に示すフローチャートを用いて詳しく説明する。
【００６９】
テレビジョン受像機１のＣＰＵ３は、ユーザにより起動され、ＲＯＭ４から輝度補正値を読み出して画像処理部１３に設定すると、異常検出及び復帰処理手順ＲＴ１を開始して、ステップＳＰ１（図５）に移る。ステップＳＰ１においてＣＰＵ３は、ＲＯＭ４からテスト画像データＴＤを読み出し、画像展開メモリ１３Ａのテスト画像展開領域ＲＢの中の所定位置（この場合、例えば右上）を指定して、このテスト画像データＴＤを展開し、次のステップＳＰ２に移る。
【００７０】
ステップＳＰ２においてテレビジョン受像機１のＣＰＵ３は、画像処理部１３により、輝度補正値に応じ、画像展開メモリ１３Ａのテスト画像展開領域ＲＢに展開しているテスト画像データＴＤの輝度値を補正して、補正テスト画像データＨＴＤを生成し、次のステップＳＰ３に移る。
【００７１】
ステップＳＰ３においてテレビジョン受像機１のＣＰＵ３は、画像展開メモリ１３Ａのテスト画像展開領域ＲＢにおいて、このテスト画像展開領域ＲＢに展開している補正テスト画像データＨＴＤを指定して、補正テスト画像データＨＴＤの補正輝度値を取得し、次のステップＳＰ４に移る。
【００７２】
ステップＳＰ４においてテレビジョン受像機１のＣＰＵ３は、補正輝度値と、テスト画像データＴＤに付加されている正常輝度実測値とを比較し、補正輝度値と正常輝度実測値とが一致するか否かを判別する。
【００７３】
このステップＳＰ４において肯定結果が得られると、このことは、画像処理部１３において正常な補正が行われていることを示している。従って、このときＣＰＵ３は、ステップＳＰ５に移る。
【００７４】
ステップＳＰ５においてテレビジョン受像機１のＣＰＵ３は、画像展開メモリ１３Ａのテスト画像展開領域ＲＢに展開している補正テスト画像データＨＴＤを削除し、この異常検出及び復帰処理手順ＲＴ１を終了する。
【００７５】
これに対し、ステップＳＰ４において否定結果が得られると、このことは、画像処理部１３において正常な補正が行われていないことを示している。従って、このときＣＰＵ３は、ステップＳＰ６に移る。
【００７６】
ステップＳＰ６においてテレビジョン受像機１のＣＰＵ３は、画像展開メモリ１３Ａのテスト画像展開領域ＲＢに展開している補正テスト画像データＨＴＤを削除し、次のステップＳＰ７に移る。
【００７７】
ステップＳＰ７においてテレビジョン受像機１のＣＰＵ３は、画像処理部１３を再起動し、ＲＯＭ４から輝度補正値を再度読み出して、画像処理部１３に既に設定されている輝度補正値に対して上書きし、ステップＳＰ１に戻る。
【００７８】
そしてテレビジョン受像機１のＣＰＵ３は、ステップＳＰ４において肯定結果を得るまで、上述したステップＳＰ１乃至ステップＳＰ７の処理を繰り返す。
【００７９】
このような異常検出及び復帰処理手順ＲＴ１にしたがい、テレビジョン受像機１のＣＰＵ３は、異常状態を検出し、異常状態であった場合に、異常状態から正常状態に復帰するようになされている。
【００８０】
（４）動作及び効果
以上の構成において、テレビジョン受像機１は、起動時、ＲＯＭ４から補正値を読み出して画像処理部１３に設定すると、ＲＯＭ４からテスト画像データＴＤを読み出して画像処理部１３に送出する。また、このときテレビジョン受像機１は、テスト画像データＴＤに付加されている正常輝度実測値を取得する。
【００８１】
さらにテレビジョン受像機１は、画像展開メモリ１３Ａのテスト画像展開領域ＲＢの中の所定位置（この場合、例えば右上）を指定し、このテスト画像データＴＤを展開する。
【００８２】
さらにテレビジョン受像機１は、補正値に応じて、テスト画像展開領域ＲＢに展開しているテスト画像データＴＤの輝度値を補正し、補正テスト画像データＨＴＤを生成する。
【００８３】
さらにテレビジョン受像機１は、画像展開メモリ１３Ａから、テスト画像展開領域ＲＢに展開している補正テスト画像データＨＴＤの補正輝度値を取得し、テスト画像データＴＤから取得しておいた正常輝度実測値と比較する。
【００８４】
そしてテレビジョン受像機１は、補正輝度値と正常輝度実測値とを比較した結果、補正輝度値と正常輝度実測値とが異なる場合には、画像処理部１３において正常な補正が行われていないと判別（すなわち、異常状態を検出）し、画像処理部１３を再起動して自動で復帰するようにした。
【００８５】
その結果、テレビジョン受像機１は、ユーザに対し、異常状態を認識させた上で異常状態から復帰する処理を実行させるような手間をかけることなく、正常輝度実測値と補正輝度値とが異なることに応じ、画像補正部１３が異常状態であることを判別して、当該画像補正部１３を再起動することができる。
【００８６】
またテレビジョン受像機１は、画像展開メモリ１３Ａに対し、フレーム画像データＦＤを展開するためのフレーム画像展開領域ＲＡと、テスト画像データＴＤを展開するためのテスト画像展開領域ＲＢとを区別して形成した。
【００８７】
そしてテレビジョン受像機１は、画像処理部１３により、フレーム画像展開領域ＲＡにおいてデジタル映像信号の個々のフレーム画像データＦＤを展開する処理（すなわちテレビジョン番組表示処理）と、テスト画像展開領域ＲＢにおいてテスト画像データＴＤを展開する処理（すなわち異常検出処理）とを時分割に処理するようにした。
【００８８】
これによりテレビジョン受像機１は、テレビジョン番組表示処理を妨げずに異常検出処理を行うことができ、その結果、異常検出処理を行いつつも、ユーザに対して通常通りにテレビジョン番組を視聴させることができる。
【００８９】
さらにこの場合、テレビジョン受像機１は、異常状態の検出用に専用のテスト画像データＴＤを用意し、このテスト画像データＴＤを、専用のテスト画像展開領域ＲＢに展開するようにしたことにより、テレビジョン番組表示処理と異常検出処理とを同時並行に行う際、テレビジョン番組表示処理におけるフレーム画像データＦＤの影響を受けてテスト画像データＴＤが変化してしまうようなことがなく、毎回同じテスト画像データＴＤと正常輝度実測値とを用いて異常検出処理を行うことができる。その結果、テレビジョン受像機１は、確実に異常検出処理を実行できる。
【００９０】
以上の構成によれば、テレビジョン受像機１は、フレーム画像データＦＤを補正した結果得られる補正フレーム画像データＨＦＤに基づく画像をスクリーンに表示する際の異常を検出するためのテスト画像データＴＤと、当該テスト画像データＴＤが予め正常に補正されたときに実測された正常輝度実測値とを記憶するＲＯＭ４と、テスト画像データＴＤに対して所定の補正を施し、補正テスト画像データＨＴＤを生成する画像補正部１３と、ＲＯＭ４に記憶されている正常輝度実測値と、画像補正部１３により生成された補正テスト画像データＨＴＤの補正輝度値とを比較するＣＰＵ３とを設け、比較の結果、正常輝度実測値と補正輝度値とが異なる場合に、画像補正部１３が異常状態であると判別して当該画像補正部１３を再起動するようにしたことにより、ユーザに対し、異常状態を認識させた上で異常状態から復帰する処理を実行させるような手間をかけることなく、正常輝度実測値と補正輝度値とが異なることに応じ、画像補正部１３が異常状態であることを判別して、当該画像補正部１３を再起動することができ、かくして、正常な表示ができない異常状態から容易に復帰することができる。
【００９１】
（５）他の実施の形態
なお、上述した実施の形態では、異常検出処理及び復帰処理を、テレビジョン受像機１が起動された際に実行するようにした場合について述べたが、本発明はこれに限らず、常時、或いは所定時間ごとに異常検出処理を繰り返して、異常状態であると判別した場合には、その時点で復帰処理を実行するようにしても良い。
【００９２】
また、上述した実施の形態では、テレビジョン受像機１（画像処理部１３）が過電流により異常状態になった場合に異常検出処理を実行するようにした場合について述べたが、本発明はこれに限らず、必要以上の過電圧が供給される場合や、必要な電流や電圧が供給されない電流不足、電圧不足が原因となって異常状態が引き起こされた場合にも、同様に異常検出処理を実行するようにしても良い。
【００９３】
さらに、上述した実施の形態では、異常検出処理において、画像展開メモリ１３Ａにフレーム画像展開領域ＲＡとテスト画像展開領域ＲＢとを形成し、フレーム画像展開領域ＲＡに展開したフレーム画像データＦＤ（すなわち、補正フレーム画像データＨＦＤ）に基づく画像をスクリーンに表示すると共に、テスト画像展開領域ＲＢに展開したテスト画像データＴＤ（すなわち、補正テスト画像データＨＴＤ）に基づく画像をスクリーンに表示しないようにした場合について述べたが、本発明はこれに限らず、異常検出処理が終了するまでは、スクリーンに対してどちらの画像も表示しないようにしても良く、その場合、画像展開メモリ１３Ａに対し、フレーム画像展開領域ＲＡとテスト画像展開領域ＲＢとを区別して形成しないで済むため、この画像展開メモリ１３Ａの構成を簡略化できる。
【００９４】
またこの場合、テスト画像データＴＤ（すなわち、補正テスト画像データＨＴＤ）に基づく画像をスクリーンに表示しても良いのであれば、フレーム画像データＦＤとテスト画像データＴＤとを区別せずに画像展開メモリ１３Ａに展開するようにしても良く、その場合も、画像展開メモリ１３Ａに対し、フレーム画像展開領域ＲＡとテスト画像展開領域ＲＢとを区別して形成しないで済むため、この画像展開メモリ１３Ａの構成を簡略化できる。
【００９５】
さらに上述した実施の形態では、復帰処理において画像処理部１３を再起動した際、ＲＯＭ４から輝度補正値を再度読み出し、画像処理部１３に既に設定されている輝度補正値に対して上書きするようにした場合について述べたが、本発明はこれに限らず、例えば、画像処理部１３の図示しないメモリに輝度補正値が記憶されている場合には、テレビジョン受像機１の起動時にこのメモリから読み出した輝度補正値を画像処理部１３に設定するようにしても良い。また、再起動するのは、画像処理部１３だけでなく、テレビジョン受像機１全体であってもよく、つまりは、画像処理部１３において正常な補正ができるように、この画像処理部１３を再起動するのであれば、その方法は何でも良い。
【００９６】
さらに上述した実施の形態では、異常状態の検出のために、補正輝度値と正常輝度実測値とを比較するようにした場合、すなわち輝度値を適用するようにした場合について述べたが、本発明はこれに限らず、コントラストを示すコントラスト値や、色彩の違いを表す色度値を適用しても良い。また、補正を施すのに補正値を用いるのではなく、例えば、所定の補正を施すための補正関数であってもよい。つまりは、画像処理部１３においてテスト画像データＴＤの補正を行い、その補正によって変化したデータ（この場合、輝度値やコントラスト値、色度値）と、その値を推定して予めテスト画像データＴＤに付加されていたデータとを比較できるのであれば、補正する値や、補正の方法については特に限定しない。
【００９７】
さらに上述した実施の形態では、テスト画像データＴＤに正常輝度実測値を付加するようにしてＲＯＭ４に記憶するようにした場合について述べたが、本発明はこれに限らず、テスト画像データＴＤと正常輝度実測値とをそれぞれＲＯＭ４に記憶するようにしてもよい。
【００９８】
さらに上述した実施の形態では、テスト画像データＴＤの正常輝度実測値と補正テスト画像データＨＴＤの補正輝度値とを比較するようにした場合について述べたが、本発明はこれに限らず、例えば、テスト画像データＴＤを正常に補正したときの正常補正テスト画像データをテスト画像データＴＤに付加しておき、テスト画像データＴＤに付加されている正常補正テスト画像データと補正テスト画像データＨＴＤとを比較するようにしてもよい。また、テスト画像データＴＤを正常に補正したときの正常補正テスト画像データをテスト画像データＴＤと共にＲＯＭ４に記憶しておいてもよい。
【００９９】
さらに上述した実施の形態では、テスト画像データＴＤは、画像展開メモリ１３Ａに展開されたときに、一様な輝度値で正方形状になるようにした場合について述べたが、本発明はこれに限らず、円形状や三角形状、長方形状などのように、他の形状であっても良い。また、テスト画像データＴＤは一様な輝度値でなくても良い。
【０１００】
さらに上述した実施の形態では、補正輝度値と正常輝度実測値とが異なっていた場合には、異常状態であると判別して復帰処理を実行するようにした場合について述べたが、本発明はこれに限らず、例えば、補正輝度値と正常輝度実測値との許容誤差（例えば５％）を予め設定しておき、この許容誤差以内であれば、異常状態では無いと判別し、復帰処理を実行しないようにしても良い。
【０１０１】
さらに上述した実施の形態では、スクリーンの背面側から映像を投影し、スクリーンの正面側のユーザに映像を見せるテレビジョン受像機１（すなわち、リアプロジェクション型のテレビジョン受像機１）に本発明を適用するようにした場合について述べたが、本発明はこれに限らず、映像信号に補正を施す画像処理部１３を有するのであれば、液晶型やプラズマ型、有機ＥＬ（Electro  Luminescence）型、ＬＥＤ（Light  Emitted  Diode）型など、他のテレビジョン受像機に適用するようにしても良い。また、放送波の受信機能を有さず、外部から与えられる映像信号や、自身に記憶している映像データに基づく映像を、自身や外部の表示部に表示する表示装置に本発明を適用するようにしても良い。具体的には、表示装置には、据置型パーソナルコンピュータのモニタや、ノート型パーソナルコンピュータ、表示部を有するデジタルビデオカメラ、表示部を有するデジタルカメラ、表示部を有する携帯型のオーディオプレイヤ、表示部を有する据置型のオーディオプレイヤ、表示部を有する携帯型のゲーム装置、据置型のゲーム装置、表示部を有する携帯電話など、この他種々の装置を適用することができる。
【０１０２】
さらに、本発明は、上述した実施の形態及びここまで説明した他の実施の形態に限定されるものではなく、この実施の形態及びここまで説明した他の実施の形態の一部または全部を任意に組み合わせた形態、もしくは一部を抽出した形態にもその適用範囲が及ぶものである。
【産業上の利用可能性】
【０１０３】
本発明は、時間的に連続した複数のフレーム画像により形成された映像を表示する装置に利用することができる。
【図面の簡単な説明】
【０１０４】
【図１】テレビジョン受像機の構成を示すブロック図である。
【図２】テスト画像データの構成を示す略線図である。
【図３】画像展開領域の様子を示す略線図である。
【図４】画像データの展開と補正の様子を示す略線図である。
【図５】異常検出及び復帰処理の手順を示すフローチャートである。
【符号の説明】
【０１０５】
１……テレビジョン受像機、２……制御部、３……ＣＰＵ、４……ＲＯＭ、１３・・・・・・画像処理部、１３Ａ……画像展開メモリ、１４……映像出力部、ＦＤ……フレーム画像データ、ＨＦＤ……補正フレーム画像データ、ＨＴＤ……補正テスト画像データＨＴＤ……テスト画像データ、ＲＡ……フレーム画像展開領域、ＲＢ……テスト画像展開領域、ＲＴ１……異常検出及び復帰処理手順。
【図１】
2009135684.tif 000003
【図２】
2009135684.tif 000004
【図３】
2009135684.tif 000005
【図４】
2009135684.tif 000006
【図５】
2009135684.tif 000007